(57)【特許請求の範囲】
【請求項１】
電子写真システムであって、
現像ハウジングと、
真空収集源と、
トリクルポートおよびトリクルポートハウジングを含むトリクル収集システムであって、前記トリクルポートは前記現像ハウジングの内部を前記トリクルポートハウジングに連通し、前記トリクルポートハウジングは前記トリクルポートを前記真空収集源に接続されたホース（１５８）に連通するトリクル収集システムと、
を具備し、
前記現象ハウジングは、
担体粒子とトナー粒子とが結び付いた現象剤を収容し、
前記現像剤を潜像担持部材（１８８）へ供給し、前記担体粒子に結び付いた前記トナー粒子を当該潜像担持部材（１８８）に転移させる供給ローラ（１６８）と、
前記トナー粒子が前記潜像担持部材（１８８）に転移された後の残った前記担体粒子と前記潜像担持部材（１８８）に転移されなかった前記トナー粒子とを回収する回収ローラ（１７０）と、
を備え、
前記電子写真システムは、
前記供給ローラ（１６８）、前記回収ローラ（１７０）、及び、前記トナー粒子が転像された潜像担持部材（１８８）の何れかから解き放たれたトナー粒子が重力により落下する領域に一端（２０２）が位置する放出トナー収集マニホールド（１５６）を更に備え、
前記放出トナー収集マニホールド（１５６）の他端は、前記ホース（１５８）に接続された
ことを特徴とする電子写真システム。
【発明の詳細な説明】
【技術分野】
【０００１】
本発明は、一般に、ゼログラフィシステム等の電子写真システムに関し、より詳細には、トリクルポートと現像ハウジングの内部を真空収集源に連通するトリクルポートハウジングとを含む電子写真システム用の改良されたトリクル収集システムおよび方法に関する。
【背景技術】
【０００２】
電子写真方法および機器はよく知られている。図１は、電子写真機器を概略的に例示する。その中に示されるように、電子写真機器は、一般に、記録紙または媒体等の画像担持部材に静電潜像を生成するための画像形成部と、トナーを潜像に加えて画像担持部材に画像を現像するための現像部と、現像されたトナー画像を画像担持部材に固定するための定着部と、を含む。
【０００３】
現像剤カートリッジおよび現像剤を含む画像現像システムはよく知られている。公知の現像剤は、スチールビード等の磁化可能な担体粒子と、非磁性トナー粒子と、の組み合わせを含む。担体粒子は、機械的手段、および、現像剤カートリッジハウジング内を動く磁場によって運搬される。現像プロセスにおいて、トナー粒子は、現像剤カートリッジハウジング内の攪拌および運搬中に粒子の間の摩擦のため、摩擦帯電によって担体粒子に付着する。担体粒子は、トナー粒子を現像剤転写領域へ運搬し、記録紙または媒体等の画像担持部材にトナーを加える。トナーは現像プロセスで消費されるため、現像剤カートリッジハウジングには、担体粒子およびトナー粒子を含む新しい現像剤が補充される。時がたつにつれて、担体粒子は、現像剤カートリッジハウジングの過酷な環境のため、影響を受け、変質する。これらの影響を受け／変質したビードは、ハウジングに形成されたトリクルポートを経由して現像剤カートリッジハウジングからトリクルとして排出される。
【０００４】
図２は、電子写真システム用の公知の現像システム１００の分解斜視図である。その中に示されるように、現像システム１００は一般に、それぞれ、マゼンタ（Ｍ）、イエロー（Ｙ）、シアン（Ｃ）およびブラック（Ｂｋ）現像剤で画像を現像するための４つの現像剤カートリッジ１１０と、トリクル収集システム１２０と、を含む４段階現像システムである。トリクル収集システム１２０は一般に、トリクル収集ツリー１２２およびトリクル収集ボトルアセンブリ１２４を含む。トリクル収集ツリー１２２は一般に、４つの傾斜ブランチ１２６（Ｍ、Ｙ、ＣおよびＢｋ）、および、ブランチ１２６をトリクル収集ボトルアセンブリ１２４へ接続するための複数の垂直ステム１２８、１３０および１３２を含む。各ブランチ１２６は一般に、トリクルポート１３４と、トリクル収集漏斗１３６と、Ｙコネクタ１３８と、を含む。各トリクルポート１３４（Ｍ、Ｙ、Ｃ、Ｂｋ）は、それぞれの現像剤カートリッジ１１０の現像ハウジング壁に設けられ、現像剤カートリッジハウジング１５２の内部を外部に連通し、トリクル収集システムのそれぞれのトリクル収集漏斗１３６へトリクルポート１３４を経由して現像剤カートリッジ１１０によって出力されたトリクルを重力給送するのを可能にする。各トリクル収集漏斗１３６によって収集されたトリクルは、今度は、それぞれのブランチ１２６およびトリクル収集ツリー１２２の垂直ステム１２８、１３０、１３２を通して重力給送され、トリクル収集ボトルアセンブリ１２４に収集される。
【０００５】
公知のトリクル収集システムは多数の欠点を有する。重力供給トリクル収集システムは、収集角度、湿度および材料状態の変化を含む様々な要因のため、トリクルを閉塞または架橋しがちである。現像剤材料の安息角は典型的に、およそ３８〜５５度である。外部湿度または現像剤に影響を与える内部状態の変化は、この限界をさらに悪化させる。したがって、重力供給トリクル収集システム要素は、重力供給を容易にする、すなわち、現像剤カートリッジハウジングから依存してほぼ垂直である場所におよび配向で配列されなければならない。
【０００６】
重力供給収集システムはまた、収集ボトル内にトリクル収集ツリーによって集められたトリクルを付着するためのオーガーシステムも必要とする。そのようなトリクル収集システムは、一杯になったときに収集ボトルを交換するために、ユーザまたはカスタマサービスエンジニアが、印刷物の生産を停止することを必要とする。そのようなオーガーシステムは、オーガーインタフェースおよび摩耗したシールにおける漏れによる欠点を有する。
【０００７】
公知の電子写真システムはまた、サイズ、形状および配向要件に関連した欠点も有する。たとえば、複数の現像剤カートリッジを使用する電子写真システムは、現像剤カートリッジを積み重ねるかまたは他のやり方で配列しなければならず、実質的なサイズ要件および他の限界（たとえば、高さおよび設置面積の限界）を有する可能性がある。これらのサイズ要件および他の限界は、電子写真機器内の現像剤カートリッジハウジング上のトリクルポートおよびトリクル収集システム要素の場所に制限を課すこともある。個別の内部装着許容値および支持表面等の外的要因のため現像カートリッジの装着配向（水平配向）の変化もまた、トリクルポートおよびトリクル収集システム要素の場所に制限を課すこともある。一般に、機器のサイズおよび形状の制限／限界は、ユーザの必要および要望を満足させるように決定される。
【０００８】
したがって、公知の電子写真システムおよびトリクル収集システムおよび方法のこれらの欠点を克服する改良されたトリクル収集システムおよび方法の必要性が存在する。特に、現像剤カートリッジのサイズおよび配向制限の影響を減少し、小型電子写真システムに対するユーザの必要および要望に適合する改良されたトリクル収集システムの必要性が存在する。
【発明の開示】
【発明が解決しようとする課題】
【０００９】
本発明のトリクル収集システムは、公知のトリクル収集システムのこれらの欠点を克服し、公知のトリクル収集システムおよび方法および電子写真システムに対して利点を提供する。
【課題を解決するための手段】
【００１０】
１つの態様において、本発明のトリクル収集システムは、現像ハウジングに形成され現像ハウジングの内部に連通するトリクルポートと、トリクルポートを外部の真空収集源に連通するトリクルポートハウジングと、を含む。１つの実施の形態において、トリクルポートは、ポートを通るトリクルの流れの量を制御するために可変断面を有する開口部を含んでもよい。トリクル収集システムはまた、トリクルポートハウジングの内部を外部空気に連通し且つ適切な運搬速度を維持しトリクルポートから外部の真空収集システムへトリクルが流れるのを容易にするのに十分な一定量の外部空気の注入をトリクルポートハウジング内に提供する空気注入ポートを含んでもよい。空気注入の量が内部および／または外部の状態にしたがって変動してもよいように、空気注入ポートの開口部は可変であってもよい。別の態様において、トリクル収集システムは、現像ハウジングの下に位置するトナー放出マニホールドをさらに含んでもよく、そこで、トナー放出マニホールドは、現像ハウジングの現像剤転写領域に隣接するトナーを収集するトナー収集ポートを含み、トリクルポートハウジングは、現像剤転写領域から離れた場所でトナー放出マニホールドに連通する。別の態様において、トリクル収集システムは、真空収集システムおよび／またはトナー放出マニホールドを含んでもよい。
【００１１】
別の態様において、本発明の電子写真システムは、現像ハウジングと、真空収集源と、トリクルポートおよびトリクルポートハウジングを含むトリクル収集システムを含み、トリクルポートは、現像ハウジングの内部をトリクルポートハウジングに連通し、トリクルポートハウジングは、トリクルポートを真空収集源に連通する。１つの実施の形態において、電子写真システムは、現像ハウジングの現像剤転写領域に隣接して位置するトナー収集ポートを有する放出トナー収集マニホールドと、現像ハウジングの下に位置してトナー収集ポートを真空収集源に連通する下部マニホールドと、を含んでもよく、そこで、トリクルハウジングは、下部マニホールドとの連通を経由してトリクルポートを真空収集源に連通する。さらに、電子写真システムは、複数の現像剤カートリッジハウジングと、各々がそれぞれの現像ハウジングの内部を真空収集源に連通する複数のトリクル収集システムと、を含んでもよい。
【発明を実施するための最良の形態】
【００１２】
次に、本発明のトリクル収集システムおよびそのようなトリクル収集システムを使用する電子写真システムの様々な実施の形態が、図面に関連して説明され、その中で、同一または類似の要素は、図面全体にわたって同一または類似の参照符号を使用して識別される。
【００１３】
図１は、本発明のトリクル収集システムおよび方法が実施されてもよい電子写真機器を概略的に例示する。上述のように、電子写真機器は一般に、記録紙または媒体等の画像担持部材に潜像を生成するための画像形成部と、トナーを潜像に加えて画像担持部材にトナー画像を現像するための現像部と、現像された画像を画像担持部材に固定するための定着部と、を含む。これらの構造物およびその要素は多くの様々な実施の形態で当業者には公知であり、したがって、請求されたトリクル収集システムおよび方法、および、そのようなトリクル収集システムおよび方法を使用する電子写真システムを作り使用するのに十分な程度だけ詳細に下記に説明される。
【００１４】
図３は、真空収集源に連通する本発明のトリクル収集システムの斜視図であり、図４は、本発明にしたがったトリクル収集システムを有する現像剤カートリッジハウジングの断面図である。
【００１５】
図３および４に示されるように、本発明のトリクル収集システム１２０は、一般に、トリクルポート１３４と、現像剤カートリッジハウジング１５２の内部を真空収集源１５４に連通するトリクルポートハウジング１５０と、を含む。１つの実施の形態において、真空収集源１５４は、既存の外部真空収集源、たとえば、電子写真機器の汚れ収集システム等であってもよく、トリクルポート１３４およびトリクルポートハウジング１５０は、収集マニホールド１５６および廃棄ホース１５８を経由して、現像剤カートリッジハウジング１５２の内部を汚れ収集システム（真空収集源）１５４に連通してもよい。この配列は、システムの要素の数を減少し、それによって、コストを削減し、最大の小型化を容易にする。あるいは、真空収集源１５４は、トリクル収集システム１２０にサービスを提供するのに専用の別個のシステムであってもよい。この配列は、設計者がトリクル収集システム１２０の効果的且つ効率的なサービスを最大限にするのを可能にする。当業者は、本発明にしたがったトリクル収集システムに適切な代替の真空収集源を理解するであろう。
【００１６】
次に、本発明のトリクル収集システム１２０を実施する現像部の現像剤カートリッジ１１０の説明が、図４を参照して行われる。この点で、本願に示され記載された要素は、例示のみである。当業者は、いずれの特定の用途に適切な様々な代替且つ等価の現像剤カートリッジおよび現像剤カートリッジ要素を容易に理解するであろう。
【００１７】
そこに示されたように、この実施の形態において、現像剤カートリッジ１１０は一般に、現像剤カートリッジハウジング１５２、下部右オーガー１６０、上部オーガー１６２、転写ロール１６４、トリムバー１６６、上部磁気ローラー１６８、下部磁気ローラー１７０、および、前部オーガー１７２を含む。現像剤カートリッジハウジング１５２は、業界では公知のように、電子写真機器内に現像剤カートリッジ１１０を位置づけ支持するために、装着フレーム１７４を含む。
【００１８】
下部右オーガー１６２は、粒子を混合して粒子中に摩擦帯電を生成するように、現像剤の担体粒子およびトナー粒子を運搬し攪拌する回転攪拌機１７６を含む。下記により詳細に検討されるように、下部右オーガー１６２はまた、現像剤カートリッジハウジング１５２からトリクルを排出するのを容易にするのにも使用される。下部右オーガー１６０は、摩擦帯電した現像剤を上部オーガー１６２の領域へ運搬する。
【００１９】
上部オーガー１６２は、摩擦帯電した現像剤を下部右オーガー１６０に隣接した領域から転写ロール１６４へ運搬する回転磁気部材１７８を含む。上部オーガー１６２および転写ロール１６４は、その間に所定のギャップを備えて配列され、摩擦帯電した現像剤の層を転写ロール１６４に形成するのを容易にする。
【００２０】
転写ロール１６４は、内側磁気部材１８０と、転写ロール１６４に引きつけられた現像剤の層を上部オーガー１６２から上部磁気ローラー１６８へ運搬する回転外側部材１８２と、を含む。トリムバー１６６は、ナイフエッジとしても知られており、転写ロール１６４上の現像剤の層を、実質的に均一な厚さを有する層に形成する。
【００２１】
現像剤の均一な層は、現像剤カートリッジ１１０の現像剤転写領域１８４へ送出するために、転写ロール１６４から上部磁気ローラー１６８へ移される。上部磁気ローラー１６８は、現像剤転写領域１８４で担体粒子から潜像担持部材へトナー粒子を転移するのを容易にするのに使用される複数の磁気領域を画成する複数の内部磁気部材１８６を含む。説明の目的のために、画像転写ベルトが、画像担持部材１８８として破線で概略的に例示される。当業者は、現像剤転写領域１８４で潜像を現像するためのトナーを受け取るために、多数の代替構造配列、および、記録紙および媒体を含む画像担持部材１８８を容易に理解するであろう。
【００２２】
下部磁気ローラー１７０は、現像剤転写領域１８４から担体粒子および過剰なトナー粒子を収集／除去し運搬するための磁気領域を画成する内側磁気部材１９０を含む。下部磁気ローラー１７０は、回収された担体粒子およびトナー粒子を前部オーガー１７２の領域へ運搬する。前部オーガー１７２は、現像剤の担体粒子およびトナー粒子を攪拌し現像剤を下部右オーガー１６０へ運搬するためのスクリュー１９２を含み、そこで、現像剤を攪拌し、混合し、摩擦帯電し且つ運搬するためのプロセスが繰り返される。
【００２３】
この現像プロセスは継続するため、担体粒子およびトナー粒子は、何回もリサイクルされる。時がたつにつれて、現像剤のトナー粒子は、現像剤のカートリッジ１１０の現像剤転写領域１８４での画像現像プロセスによって消費される。担体粒子は、何回も再使用され、現像剤カートリッジハウジング１５２の過酷な環境のため、影響を受け、変質する（劣化するかまたは損傷する）。
【００２４】
したがって、現像剤のカートリッジ１１０に新しい現像剤を再充填する必要がある。具体的には、消費されたトナー粒子を補充する必要がある。また、影響を受け変質した担体粒子をトリクルとして現像剤カートリッジハウジング１５２から排出し、現像剤のカートリッジ１１０に新しい担体粒子を再充填する必要がある。トナー粒子および担体粒子の量は、製品のカバー領域および環境パラメータを含む様々な要因に依存して各用途で変動してもよい。典型的に、トナー粒子および担体粒子（たとえば、スチールビード、およそ９：１の割合）を含む新しい現像剤が、現像剤カートリッジハウジング１５２内に排出される。当業者は、いずれの所望の用途に対する適切な排出率を容易に決定することができる。
【００２５】
トリクルは、現像剤カートリッジハウジング１５２に形成されたトリクルポート１３４を通って現像剤カートリッジハウジング１５２から排出される。下部右オーガー１６０の作用は、現像剤からトリクルを分離し現像剤カートリッジハウジングからトリクルを排出するのを容易にしてもよい。典型的に、現像剤カートリッジハウジング１５２から排出されたトリクルは、容量でおよそ６％のトナー粒子および９４％の担体粒子（たとえばスチールビード）を備える。しかし、この組成は、担体粒子およびトナー粒子の組成、排出率、湿度、含水率等の様々な内的要因および外的要因に依存して変動することができる。
【００２６】
本発明のトリクル収集システムにおいて、トリクルポート１３４は、トリクルポートハウジング１５０に連通し、これは、今度は、放出トナー収集マニホールド１５６および汚れ収集ボトル（真空収集源）１５４への廃棄ホース１５８に連通する。このようにして、トリクルポート１３４およびトリクルポートハウジング１５０は、現像剤カートリッジハウジング１５２の内部を真空収集源１５４に連通する。当然ながら、トリクルポート１３４およびトリクルポートハウジング１５０は、代替的に、真空収集源１５４に直接連通してもよい。当業者は、現像剤カートリッジハウジング１５２の内部を真空収集源１５４に連通するための代替の方法およびシステムを理解するであろう。
【００２７】
本発明のトリクルポート１３４は、トリクルの除去が真空により助勢されるものであるため、所望のトリクル収集用途に適切な現像剤カートリッジハウジング１５２のいずれの位置に位置してもよい。本実施の形態において、トリクルポート１３４は、現像剤転写領域１８４の反対側の下部右オーガー１６０に隣接する側で、現像剤カートリッジハウジング１５２の中心部分に位置する。この場所で、上記のように、下部右オーガー１６０は、トリクルの分離および排出を容易にすることができる。この場所は、また、たとえば、現像部が図２に示されるような４色現像システム等の複数の現像剤カートリッジ１１０のスタックを含む電子写真機器内における機械設置およびスタック公差（許容範囲）による、インボード（ＩＢ）またはアウトボード（ＯＢ）側への傾斜に対するハウジングサンプ質量(sump mass)の感度を低下させる。代替の配列において、それぞれのトリクルポートハウジングを備えた２つまたはそれ以上のトリクルポートが、現像剤カートリッジハウジングの様々な選択された場所に、たとえば、現像剤カートリッジハウジングの対向する端に、設けられてもよく、装着配向における変動のいずれの影響（スタッキング公差）を減少し、トリクル率のより大きな制御を提供する。
【００２８】
図３および４に示されるように、放出トナー収集マニホールド１５６は、現像剤カートリッジハウジング１５２の下に位置してもよく、現像剤転写領域１８４に隣接して／の下に放出トナー収集ポート２０２を含んでもよい。このようにして、上部磁気ローラー１６８、下部磁気ローラー１７０または画像担持部材１８８から解き放たれるトナーは、重力により給送され、次いで、放出トナー収集ポート２０２へ真空給送され、真空力によって放出トナー収集マニホールド１５６および廃棄ホース１５８を通って汚れ収集ボトル（真空収集源）１５４へ除去される。さらに、この実施の形態において、本発明のトリクル収集システムは、さらなる専用真空収集源の提供を必要とすることなく、実施されてもよい。これは、コストを削減し、空間を節約する。
【００２９】
トリクルポート１３４のサイズ、形状および断面は、所望の用途にしたがって選択されてもよい。トリクルポート１３４の所望のサイズ、形状および断面は、ハウジング上のトリクルポートの場所、排出されるトリクルのサイズおよび率（割合）、トリクルポートハウジング１５０のサイズ、形状および配向（たとえば、傾斜の角度）、真空収集源１５４によって生成された真空度等を含む多数の要因に依存して変動してもよい。本実施の形態において、トリクルポート１３４は、これらおよび他の内部または外部の操作状態および要因にしたがって設定されてもよい可変断面（図３に概略的に例示される）を有するシャッター付の開口部を含んでもよい。当業者は、可変断面開口部を達成するための様々な代替構造物を容易に理解するであろう。
【００３０】
トリクルポートハウジング１５０のサイズ、形状、長さ、断面、配向および構成は、同様に、所望の用途にしたがって選択されてもよい。サイズ、形状、長さ、断面、配向および構成は、トリクルポート１３４のサイズ、形状、断面および場所、放出トナー収集マニホールド１５６または他の真空源接続のサイズ、形状、断面および配向、現像剤の組成、電子写真機器のサイズおよび形状によって課された構造的制約、ビードサイズ、トリクル率、真空度等を含む多数の要因に依存して変動してもよい。本発明の典型的なトリクル収集システムにおいて、トリクルポートハウジングは、およそ０．２５平方インチ断面を有してもよい。１つの実施の形態において、トリクルポートハウジング１５０は、プラスチックチューブから形成されてもよい。あるいは、トリクルポートハウジング１５０は、たとえば、接合、ねじ、ボルト等によって一緒に固定される係合フランジを有する対向するＵ字形パイプ部分（断面は、湾曲、矩形または他の幾何学形状）から形成されてもよい。さらに代替的に、トリクルポートハウジング１５０は、現像剤カートリッジハウジング１５２および／または放出トナー収集マニホールド１５６と一体的に形成されてもよい。これらの代替案の各々は、一定の状況で、コスト、メンテナンス、取扱等において利点を提供する。当業者は、所望の用途に適切な多数の代替のサイズ、形状、長さ、断面、配向および組成を容易に理解するであろう。
【００３１】
トリクルポートハウジング１５０はまた、トリクルポートハウジング１５０を通る気流の速度を上げるために、トリクルポートハウジング１５０内に外部空気の注入を提供する（任意の）空気注入ポート２０４を含んでもよい。これは、今度は、トリクルポートハウジング１５０を通るトリクルの流れを容易にしてもよく、トリクルの閉塞または架橋のリスクおよび／または発生を減少してもよい。トリクルポートハウジング１５０を通るトリクルの流れは、トリクルポートハウジング１５０のサイズ、形状、長さ、断面および配向、真空度、ビードサイズ、トリクル率等を含む多数の要因に依存して変動してもよい。本実施の形態において、空気注入ポート２０４は、これらおよび他の内部または外部の操作状態および要因にしたがって設定されてもよい可変断面（図３に概略的に例示される）を有するシャッター付の開口部を含んでもよい。当業者は、可変断面開口部を達成するための様々な代替の構造物を容易に理解するであろう。また、代替の実施の形態において、トリクルポートハウジングには、２つまたはそれ以上の空気注入ポートを設けることができる。当業者は、所望の運搬速度およびトリクル流れを達成し／維持するために、空気注入ポート（単／複）の適切な数、サイズ、形状および構造を容易に選択することができる。
【００３２】
本発明のトリクル収集システムは、公知のトリクル収集システムおよび電子写真システムに対して多数の利点を様々に達成する。１つの態様において、本発明のトリクル収集システムは、現像剤カートリッジハウジングの内部に真空（負圧）を提供する。この負圧は、現像剤カートリッジハウジングの現像剤転写領域からの望ましくないトナー放出の量を減少する助けをすることができ、それは、放出トナー収集マニホールドの放出トナー収集ポートによって収集され真空収集源に貯えられなければならないものである。
【００３３】
本発明のトリクル収集システムは、別個のトリクル収集ボトルの必要性、および、メンテナンス中にそのようなボトルを除去／交換することによって生じる汚染のリスクを排除するという点で、公知のシステムに対して利点を提供する。これはまた、トリクルを収集ボトル内に排出するのに使用されるオーガーのメンテナンス要件も排除する。たとえば、トリクルポートハウジングは、実質的に水平配向（０度の角度傾斜）を有することができる。典型的なシステムにおいて、トリクルポートハウジングは、１０〜１５度の範囲の傾斜角度を有してもよい。この角度は、特にトリクルポートハウジングの入口で閉塞または架橋を生じることなしにトリクルポートハウジングを通って、トリクルが流れるのを容易にする。当業者は、所望の用途に適切なトリクルポートハウジングの傾斜の適切な角度を容易に選択することができる。
【００３４】
本発明のトリクル収集システムは、トリクル収集システム要素を配列する際により大きな自由度を可能にするという点で、公知のシステムに対して利点を提供する。
【００３５】
本発明のトリクル収集システムは、トリクル収集システム、現像部およびこれを含む電子写真システムの設計および小型化においてより大きな自由度を可能にするという点で、公知のシステムに対して利点を提供する。
【図面の簡単な説明】
【００３６】
【図１】本願のトリクル収集システムが実施されてもよい電子写真機器を概略的に例示する図である。
【図２】公知の４段階現像システムおよび重力供給電子写真トリクル収集システムの分解斜視図である。
【図３】本発明のトリクル収集システムの斜視図である。
【図４】本発明によるトリクル収集システムを有する現像ハウジングの断面図である。
【符号の説明】
【００３７】
１００  現像システム
１１０  現像剤カートリッジ
１２０  トリクル収集システム
１２２  トリクル収集ツリー
１２４  トリクル収集ボトルアセンブリ
１２６  傾斜ブランチ
１２８、１３０、１３２  垂直ステム
１３４  トリクルポート
１３６  トリクル収集漏斗
１３８  Ｙコネクタ
１５０  トリクルポートハウジング
１５２  現像剤カートリッジハウジング
１５４  真空収集源、汚れ収集システム、汚れ収集ボトル
１５６  収集マニホールド、放出トナー収集マニホールド
１５８  廃棄ホース
１６０  下部右オーガー
１６２  上部オーガー
１６４  転写ロール
１６６  トリムバー
１６８  上部磁気ローラー
１７０  下部磁気ローラー
１７２  前部オーガー
１７４  装着フレーム
１７６  回転攪拌機
１７８  回転磁気部材
１８０  内側磁気部材
１８２  回転外側部材
１８４  現像剤転写領域
１８６  内部磁気部材
１８８  画像担持部材
１９０  内側磁気部材
１９２  スクリュー
２０２  放出トナー収集ポート
２０４  空気注入ポート
【図１】
0004845652.tif 000002
【図２】
0004845652.tif 000003
【図３】
0004845652.tif 000004
【図４】
0004845652.tif 000005